(57)【要約】【課題】従来の構成ではエアーフィルターがフィルター箱の内部に設置されているためエアーフィルターの定期的な交換が大変であった。また、フィルター箱を直接スクロール式流体機械に接続しているため、空気の取り入れ口の場所を任意に設定することができなかった。さらに性能に影響が少なく騒音低減の効果が得られているかが明確でなかった課題があった。【解決手段】スクロール流体機械１の吸入口２とフィルター箱４をホース３で接続し、前記フィルター箱４の出口部に絞り板５を設置し前記フィルター箱４の入り口にエアーフィルター７を設置したことにより、任意の場所にフィルター箱４を設置することが可能であり、また、フィルター箱４の入り口にエアーフィルター７を設置しているため定期的な交換が容易にできる。【選択図】図１
2008157123.tif 000002
【特許請求の範囲】
【請求項１】
鏡板にラップ部が立設された旋回スクロールと、その旋回スクロールに対向して前記固定フレームの他端側に設けられて鏡板にその旋回スクロールのラップ部との間で複数の圧縮室を形成するラップが立設された固定スクロールとを備えてなるスクロール式流体機械とし、前記スクロール流体機械の吸入口とフィルター箱をホースで接続し、前記フィルター箱の出口部に絞り口を設置し前記フィルター箱の入り口にエアーフィルターを設置したことを特徴とするスクロール式流体機械の騒音低減装置。
【請求項２】
前記フィルター箱の絞り口絞り比を直径比で０．４から０．６に設定したことを特徴とする請求項１に記載のスクロール式流体機械の騒音低減装置。
【請求項３】
前記フィルター箱の絞り口部をフィルター箱本体に設け、吸入口接続部と一体構造にしたことを特徴とする請求項１に記載のスクロール式流体機械の騒音低減装置。
【請求項４】
前記吸入口接続部と一体構造にしたフィルター箱を樹脂材料で整形したことを特徴とする請求項３に記載のスクロール式流体機械の騒音低減装置。
【発明の詳細な説明】
【技術分野】
【０００１】
本発明は、流体の圧縮、膨張および圧送を行なうスクロール式流体機械、特に固定スクロールに対して、旋回スクロールの回転阻止機構を有したスクロール式流体機械の騒音低減装置に関する。
【背景技術】
【０００２】
従来のこの種のスクロール式流体機械には、本体の吸入室に直接エアーフィルターを内蔵したフィルター箱を設置し前記箱の入り口に絞り管を接続した騒音防止装置がある（例えば、特許文献１参照）。
【０００３】
図５は、特許文献１に記載された従来のスクロール式流体機械の騒音低減装置の詳細を示すものである。図５に示すようにスクロール式流体機械５１の空気吸入口５２にフィルター箱５３が接続され、フィルター箱５３の入り口に絞り管５４が設置されている。また前記フィルター箱５３の内部にエアーフィルター５５が取り付けられている。
【特許文献１】実開平１−９３３８９号公報
【発明の開示】
【発明が解決しようとする課題】
【０００４】
しかしながら、前記従来の構成ではエアーフィルターがフィルター箱の内部に設置されているためエアーフィルターの定期的な交換が大変であった。また、フィルター箱を直接スクロール式流体機械に接続しているため、空気の取り入れ口の場所を任意に設定することができなかった。さらに性能に影響が少なく騒音低減の効果が得られているかが明確でなかった。
【０００５】
本発明は、従来技術の有するこのような問題点に鑑みてなされたものであり、性能に影響が少なく騒音低減の効果の得られる設置の容易な仕様を明確にすることを目的としている。
【課題を解決するための手段】
【０００６】
上記目的を達成するために、本発明のうちで請求項１に記載の発明は、前記スクロール流体機械の吸入口とフィルター箱をホースで接続し、前記フィルター箱の出口部に絞り口を設置し前記フィルター箱の入り口にエアーフィルターを設置したことを特徴とする。
【０００７】
このことにより、任意の場所にフィルター箱を設置することが可能であり、また、フィルター箱の入り口にエアーフィルターを設置しているため定期的な交換が容易にできる。
【発明の効果】
【０００８】
本発明のスクロール式流体機械の騒音低減装置は、任意の場所に設置が可能であり、かつ性能の低下を起さず低騒音の効果が得られる。
【発明を実施するための最良の形態】
【０００９】
第１の発明はスクロール流体機械の吸入口とフィルター箱をホースで接続し、前記フィルター箱の出口部に絞り口を設置し前記フィルター箱の入り口にエアーフィルターを設置したことによりフィルター箱を任意の場所に設置することができ、エアーフィルターの交換も容易にできる構成になっている。
【００１０】
第２の発明は特に、第１の発明の前記フィルター箱の絞り口絞り比を直径比で０．４か
ら０．６に設定したことにより、性能の低下を抑えて騒音低減効果を得ることができた。
【００１１】
第３の発明は特に、第１の発明の前記フィルター箱の絞り口部をフィルター箱本体に設け、吸入口接続部と一体構造にしたことにより構造を簡素化し、コスト低減を図ることが可能となった。
【００１２】
第４の発明は特に、第３の発明の前記フィルター箱樹脂材料で整形したことにより容易に安価に製造することができる。
【００１３】
以下、本発明の実施の形態について、図面を参照しながら説明する。
【００１４】
（実施の形態１）
図１は、本発明の第１の実施の形態にかかるスクロール式流体機械のフィルター箱縦断面図を示している。
【００１５】
図１に示されるように、スクロール式流体機械１の吸入口２にホース３によりフィルター箱４が接続されている。フィルター箱４の空気出口部に絞り板５がボルト等で固定されている。また空気入り口部にはエアーフィルター６が押え板７によりボルト等で固定されている。絞り板５の穴径Ｄ２は吸入口径Ｄ１の０．４〜０．６になるように設定されている。
【００１６】
以上のように構成されたフィルター箱について、以下その動作、作用を説明する。
【００１７】
まず、フィルター箱４がホース３により接続されているため、任意の場所にフィルター箱を設置することが可能である。スクロール式流体機械に吸入される空気はフィルター６によりほこり等が除去され、絞り板５の穴より吸入される。また、スクロール式流体機械の吸入口より出てくる圧縮音は絞り板５により騒音低減される。
【００１８】
図２は、本発明の第１の実施の形態にかかるスクロール式流体機械の絞り部一体構造のフィルター箱縦断面図を示している。
【００１９】
図２に示されるようにフィルター箱の出口部の吸入接続部に絞り口８と吸入口９が一体構造で構成されている。
【００２０】
図３は、本発明の第１の実施の形態にかかるスクロール式流体機械の騒音低減装置の吸入絞り比と騒音値の関係図を示している。
【００２１】
図３に示されるように吸入絞り比が０．４〜０．６で特に騒音低減効果が大きいのが分かる。
【００２２】
図４は、本発明の第１の実施の形態にかかるスクロール式流体機械の騒音低減装置の吸入絞り比と吸入圧力損失の関係図を示している。
【００２３】
図４に示されるように吸入絞り比が０．４以下になると急激に吸入圧力損失が大きくなるのが分かる。図３、図４より吸入絞り比０．４〜０．６で性能の低下を抑えて低騒音化を得られることが分かる。
【００２４】
以上のように、本実施の形態においてはスクロール流体機械の吸入口とフィルター箱をホースで接続し、前記フィルター箱の出口部に絞り口を設置し前記フィルター箱の入り口にエアーフィルターを設置した構成であるため、任意の場所にフィルター箱を設置するこ
とが出来、フィルターの交換も用意に出来る。
【産業上の利用可能性】
【００２５】
上述したように、本発明にかかるスクロール式流体機械の騒音低減装置は、簡単な構成で騒音低減を図っているため流体送風機、空気圧縮の用途にも適用できる。
【図面の簡単な説明】
【００２６】
【図１】本発明の実施の形態１にかかるスクロール式流体機械のフィルター箱縦断面図
【図２】本発明の実施の形態１にかかるスクロール式流体機械の絞り部一体構造のフィルター縦断面図
【図３】本発明の実施の形態１にかかるスクロール式流体機械の騒音低減装置の吸入絞り比と騒音値の関係を示す特性図
【図４】本発明の実施の形態１にかかるスクロール式流体機械の騒音低減装置の吸入絞り比と吸入圧力損失の関係を示す特性図
【図５】従来のフィルター箱を示す縦断面図
【符号の説明】
【００２７】
１  スクロール式流体機械
２  吸入口
３  ホース
４  フィルター箱
５  絞り板
６  エアーフィルター
７  押え板
８  絞り口
９  吸入口
【図１】
2008157123.tif 000003
【図２】
2008157123.tif 000004
【図３】
2008157123.tif 000005
【図４】
2008157123.tif 000006
【図５】
2008157123.tif 000007